(57)【要約】【課題】ゲートウェイ装置が緊急速報を転送すべき無線基地局を適切に特定し、緊急速報の配信処理の遅延を防ぐこと。【解決手段】ゲートウェイ装置と無線基地局および端末を含む通信システムにおける無線基地局は、前記端末にデータを送信する第一の送信手段と、前記無線基地局が起動したときに、前記ゲートウェイ装置に、前記無線基地局の識別情報とEmergency Area IDとを送信する第二の送信手段とを備える。また、ゲートウェイ装置は、前記無線基地局にデータを送信する送信手段と、前記無線基地局が起動したときに、前記無線基地局の識別情報とEmergency Area IDとを受信する受信手段とを備える。【選択図】図１
2016226032.tif 000002
【特許請求の範囲】
【請求項１】
ゲートウェイ装置と無線基地局および端末を含む通信システムにおける無線基地局であって、
前記端末にデータを送信する第一の送信手段と、
前記無線基地局が起動したときに、前記ゲートウェイ装置に、前記無線基地局の識別情報とEmergency Area IDとを送信する第二の送信手段とを備える、
無線基地局。
【請求項２】
前記識別情報はHeNB IDであり、前記ゲートウェイ装置はHeNB-GWであり、前記無線基地局はHeNBである、請求項１に記載の無線基地局。
【請求項３】
前記第一の送信手段は、前記ゲートウェイ装置から受信した緊急速報に関する情報を送信する、請求項２に記載の無線基地局。
【請求項４】
前記第二の送信手段は、前記ゲートウェイ装置において前記識別情報と前記Emergency Area IDとを関連付けて保存させるために、前記識別情報及び前記Emergency Area IDを送信する、請求項３に記載の無線基地局。
【請求項５】
前記第二の送信手段は、前記無線基地局に関する情報に変更が生じたときに、前記識別情報と前記Emergency Area IDとを送信する、請求項４に記載の無線基地局。
【請求項６】
ゲートウェイ装置と無線基地局を含む通信システムにおけるゲートウェイ装置であって、
前記無線基地局にデータを送信する送信手段と、
前記無線基地局が起動したときに、前記無線基地局の識別情報とEmergency Area IDとを受信する受信手段とを備える、
ゲートウェイ装置。
【請求項７】
前記識別情報はHeNB IDであり、前記ゲートウェイ装置はHeNB-GWであり、前記無線基地局はHeNBである、請求項６に記載のゲートウェイ装置。
【請求項８】
前記受信手段は、前記ゲートウェイ装置において前記識別情報と前記Emergency Area IDとを関連付けて保存するために、前記識別情報及び前記Emergency Area IDを受信する、請求項７に記載のゲートウェイ装置。
【請求項９】
前記受信手段は、前記無線基地局に関する情報に変更が生じたときに、前記識別情報と前記Emergency Area IDとを受信する、請求項８に記載のゲートウェイ装置。
【請求項１０】
ゲートウェイ装置と無線基地局および端末を含む通信システムにおける無線基地局の制御方法であって、
前記端末にデータを送信し、
前記無線基地局が起動したときに、前記ゲートウェイ装置に、前記無線基地局の識別情報とEmergency Area IDとを送信する、
制御方法。
【請求項１１】
前記識別情報はHeNB IDであり、前記ゲートウェイ装置はHeNB-GWであり、前記無線基地局はHeNBである、請求項１０に記載の制御方法。
【請求項１２】
前記無線基地局は、前記ゲートウェイ装置から受信した緊急速報に関する情報を送信する、請求項１１に記載の制御方法。
【請求項１３】
前記無線基地局は、前記ゲートウェイ装置において前記識別情報と前記Emergency Area IDとを関連付けて保存させるために、前記識別情報及び前記Emergency Area IDを送信する、請求項１２に記載の制御方法。
【請求項１４】
前記無線基地局は、前記無線基地局に関する情報に変更が生じたときに、前記識別情報と前記Emergency Area IDとを送信する、請求項１３に記載の制御方法。
【発明の詳細な説明】
【技術分野】
【０００１】
本発明は、無線基地局、ゲートウェイ装置及び無線基地局の制御方法に関し、特に、緊急速報を配信するための無線基地局、ゲートウェイ装置及び無線基地局の制御方法に関する。
【背景技術】
【０００２】
ＬＴＥ（Ｌｏｎｇ  Ｔｅｒｍ  Ｅｖｏｌｕｔｉｏｎ）方式の移動通信システムは、ＥＴＷＳ（Ｅａｒｔｈｑｕａｋｅ  ａｎｄ  Ｔｓｕｎａｍｉ  Ｗａｒｎｉｎｇ  Ｓｙｓｔｅｍ）方式等の緊急速報の配信に用いられる。
【０００３】
特許文献１には、無線基地局が交換局ＭＭＥからの緊急情報の送信要求に応じて、配下のセルに対して緊急情報を送信する移動通信方法に関する技術が開示されている。特に、特許文献１にかかる移動通信方法は、無線基地局が配下の全てのセルに報知情報を送信できなかった場合にその旨を交換局に対して通知するものである。
【０００４】
特許文献２には、無線基地局が動作するモードに応じて、異なる長さの無線基地局の識別情報をいずれかを交換局に対して通知する技術が開示されている。また、特許文献２には、交換局ＭＭＥと無線基地局ｅＮＢとの間にゲートウェイ装置が存在する場合が開示されている。
【先行技術文献】
【特許文献】
【０００５】
【特許文献１】特開２０１０−１７８３２２号公報
【特許文献２】特開２０１１−９７５４３号公報
【発明の概要】
【発明が解決しようとする課題】
【０００６】
ここで、上記のゲートウェイ装置は、緊急速報の要求を受信した場合、配下の無線基地局全てへ緊急速報要求を転送することとなり、処理遅延が発生してしまうという問題点がある。その理由は、当該ゲートウェイ装置は、配信先の無線基地局を特定する仕組みがないためである。
【０００７】
例えば、ゲートウェイ装置に数十万台の無線基地局が接続されている場合、本来的に緊急速報を転送すべき無線基地局が１００台程度であったとしても、ゲートウェイ装置は、数十万台全ての無線基地局に対して緊急速報の要求を転送してしまう。そのため、大半の無線基地局は最終的に配下のセルに対して緊急速報を配線しないにもかかわらず、それらの無線基地局への転送処理の負荷が大きくなってしまう。そのため、本来転送すべき無線基地局への緊急即の転送が遅れてしまい、緊急速報の意義が果たせなくなってしまうおそれがある。
【０００８】
本発明は、上述した問題点を考慮してなされたものであり、ゲートウェイ装置が緊急速報を転送すべき無線基地局を適切に特定するための無線基地局、ゲートウェイ装置及び無線基地局の制御方法を提供することを目的とする。
【課題を解決するための手段】
【０００９】
本発明の第１の態様にかかる無線基地局は、
ゲートウェイ装置と無線基地局および端末を含む通信システムにおける無線基地局であって、
前記端末にデータを送信する第一の送信手段と、
前記無線基地局が起動したときに、前記ゲートウェイ装置に、前記無線基地局の識別情報とEmergency Area IDとを送信する第二の送信手段とを備える。
【００１０】
本発明の第２の態様にかかるゲートウェイ装置は、
ゲートウェイ装置と無線基地局を含む通信システムにおけるゲートウェイ装置であって、
前記無線基地局にデータを送信する送信手段と、
前記無線基地局が起動したときに、前記無線基地局の識別情報とEmergency Area IDとを受信する受信手段とを備える。
【００１１】
本発明の第３の態様にかかる無線基地局の制御方法は、
ゲートウェイ装置と無線基地局および端末を含む通信システムにおける無線基地局の制御方法であって、
前記端末にデータを送信し、
前記無線基地局が起動したときに、前記ゲートウェイ装置に、前記無線基地局の識別情報とEmergency Area IDとを送信する。
【発明の効果】
【００１２】
本発明により、上述した問題点を考慮してなされたものであり、ゲートウェイ装置が緊急速報を転送すべき無線基地局を適切に特定し、緊急速報の配信処理の遅延を防ぐための無線基地局、ゲートウェイ装置及び無線基地局の制御方法を提供することができる。
【図面の簡単な説明】
【００１３】
【図１】本発明の実施の形態１にかかる移動通信システムの構成を示すブロック図である。
【図２】本発明の実施の形態１にかかる無線基地局の構成を示すブロック図である。
【図３】本発明の実施の形態１にかかるゲートウェイ装置の構成を示すブロック図である。
【図４】本発明の実施の形態１にかかる移動通信方法の流れを示すシーケンス図である。
【図５】本発明の実施の形態２にかかる移動通信システムの構成を示すブロック図である。
【図６】本発明の実施の形態２にかかるＨｅＮＢの構成を示すブロック図である。
【図７】本発明の実施の形態２にかかるＨｅＮＢ−ＧＷの構成を示すブロック図である。
【図８】関連技術にかかるＳ１ＡＰ  ＷＲＩＴＥ−ＲＥＰＬＡＣＥ  ＷＡＲＮＩＮＧ  ＲＥＱＵＥＳＴのパラメータを説明するための図である。
【図９】関連技術にかかるＷａｒｎｉｎｇ  Ａｒｅａ  Ｌｉｓｔを説明するための図である。
【図１０】本発明の実施の形態２にかかるＳ１ＡＰ  Ｓ１  ＳＥＴＵＰ  ＲＥＱＵＥＳＴのパラメータの例を示す図である。
【図１１】本発明の実施の形態２にかかるＳ１  ＳＥＴＵＰ  ＲＥＱＵＥＳＴによるＥｍｅｒｇｅｎｃｙ  Ａｒｅａ  ＩＤの登録処理の流れを示すシーケンス図である。
【図１２】本発明の実施の形態２にかかるＳ１ＡＰ  ＥＮＢ  ＣＯＮＦＩＧＵＲＡＴＩＯＮ  ＵＰＤＡＴＥのパラメータの例を示す図である。
【図１３】本発明の実施の形態２にかかるＥＮＢ  ＣＯＮＦＩＧＵＲＡＴＩＯＮ  ＵＰＤＡＴＥによるＥｍｅｒｇｅｎｃｙ  Ａｒｅａ  ＩＤの登録処理の流れを示すシーケンス図である。
【図１４】関連技術にかかるＳＢｃ−ＡＰ  ＷＲＩＴＥ−ＲＥＰＬＡＣＥ  ＷＡＲＮＩＮＧ  ＲＥＱＵＥＳＴのパラメータを説明するための図である。
【図１５】本発明の実施の形態２にかかるＷＲＩＴＥ−ＲＥＰＬＡＣＥ  ＷＡＲＮＩＮＧ  ＲＥＱＵＥＳＴによる緊急速報の配信の流れを示すシーケンス図である。
【図１６】本発明の実施の形態３にかかるＳ１  ＳＥＴＵＰ  ＲＥＱＵＥＳＴによるＴｒａｃｋｉｎｇ  Ａｒｅａ  ＩＤの登録処理の流れを示すシーケンス図である。
【図１７】本発明の実施の形態３にかかるＷＲＩＴＥ−ＲＥＰＬＡＣＥ  ＷＡＲＮＩＮＧ  ＲＥＱＵＥＳＴによる緊急速報の配信の流れを示すシーケンス図である。
【図１８】関連技術にかかるＳＢｃ−ＡＰ  ＳＴＯＰ  ＷＡＲＮＩＮＧ  ＲＥＱＵＥＳＴのパラメータを説明するための図である。
【図１９】本発明の実施の形態４にかかるＳ１ＡＰ  ＷＲＩＴＥ−ＲＥＰＬＡＣＥ  ＷＡＲＮＩＮＧ  ＲＥＱＵＥＳＴのパラメータの例を示す図である。
【図２０】本発明の実施の形態４にかかるＷＲＩＴＥ−ＲＥＰＬＡＣＥ  ＷＡＲＮＩＮＧ  ＲＥＱＵＥＳＴによる緊急速報の配信の流れを示すシーケンス図である。
【発明を実施するための形態】
【００１４】
以下では、本発明を適用した具体的な実施の形態について、図面を参照しながら詳細に説明する。各図面において、同一要素には同一の符号が付されており、説明の明確化のため、必要に応じて重複説明は省略する。
【００１５】
＜発明の実施の形態１＞
図１は、本発明の実施の形態１にかかる移動通信システム１００の構成を示すブロック図である。移動通信システム１００は、無線基地局１１１、１１２、・・・及び１１ｎ（ｎは、２以上の自然数。）と、ゲートウェイ装置１２０と、交換局１３０とを備える。移動通信システム１００は、自然災害等の緊急速報を所定の移動局（不図示）へ配信することができるものとする。
【００１６】
無線基地局１１１〜１１ｎのそれぞれは、ゲートウェイ装置１２０に接続されている。図２は、本発明の実施の形態１にかかる無線基地局１１１の構成を示すブロック図である。尚、無線基地局１１２〜１１ｎについても無線基地局１１１と同等の構成であるため、図示及び説明を省略する。
【００１７】
無線基地局１１１は、送信部１１１１と、配信部１１１２とを備える。送信部１１１１は、自己の識別情報と自己が属するグループを識別するグループ識別情報とを含めた設定要求をゲートウェイ装置１２０へ送信する。配信部１１１２は、ゲートウェイ装置１２０から緊急速報の配信要求が転送された場合、配下のセルへ緊急速報を配信する。
【００１８】
図１に戻り説明する。ゲートウェイ装置１２０は、ｎ台の無線基地局１１１〜１１ｎ及び交換局１３０と接続されている。図３は、本発明の実施の形態１にかかるゲートウェイ装置１２０の構成を示すブロック図である。ゲートウェイ装置１２０は、受信部１２２と、記憶部１２３と、転送部１２４とを備える。
【００１９】
受信部１２２は、無線基地局１１１〜１１ｎのそれぞれから上記設定要求を受信する。記憶部１２３は、受信部１２２が設定要求を受信した場合に、当該設定要求に含まれる識別情報とグループ識別情報とを関連付けて配信先情報１２１として保存する。転送部１２４は、後述する交換局１３０から緊急速報の配信要求を受信した場合、配信先情報１２１の中から、配信要求に含まれるグループ識別情報に関連付けられた一以上の無線基地局を特定し、特定された無線基地局へ配信要求を転送する。
【００２０】
図１に戻り、交換局１３０は、緊急速報の配信対象となるグループのグループ識別情報を含む配信要求をゲートウェイ装置１２０へ送信する。
【００２１】
図４は、本発明の実施の形態１にかかる移動通信方法の流れを示すシーケンス図である。まず、無線基地局１１１〜１１ｎのそれぞれは、自己の識別情報とグループ識別情報とを含めた設定要求をゲートウェイ装置１２０へ送信する（Ｓ１１）。次に、ゲートウェイ装置１２０は、設定要求を受信した場合に、当該設定要求に含まれる無線基地局の識別情報とグループ識別情報とを関連付けて配信先情報として保存する（Ｓ１２）。
【００２２】
その後、交換局１３０は、緊急速報の配信対象となるグループのグループ識別情報を含めた緊急速報の配信要求をゲートウェイ装置１２０へ送信する（Ｓ１３）。ゲートウェイ装置１２０は、配信要求を受信した場合、配信先情報１２１の中から、配信要求に含まれるグループ識別情報に関連付けられた一以上の無線基地局を特定する（Ｓ１４）。そして、ゲートウェイ装置１２０は、特定された無線基地局へ緊急速報の配信要求を転送する（Ｓ１５）。
【００２３】
その後、配信要求が転送された無線基地局は、配下のセルへ緊急速報を配信する（Ｓ１６）。
【００２４】
このように、本発明の実施の形態１にかかる移動通信システム１００は、ゲートウェイ装置１２０内に予め各無線基地局の識別情報と、緊急速報の配信要求に含まれ得るグループ識別情報とを対応付けて保存している。そのため、ゲートウェイ装置１２０は、緊急速報の配信要求を受信した場合に、当該配信要求に含まれるグループ識別情報に基づいて、配信対象の無線基地局を適切に特定することができる。言い換えると、ゲートウェイ装置１２０は、配信対象の無線基地局を必要最小限に絞り込むことができる。
【００２５】
よって、ゲートウェイ装置１２０は、本来、配信要求を転送すべき無線基地局へのみ配信要求を転送することができる。つまり、結果的に配信不要となる無線基地局への配信要求の転送が行われない。それ故、緊急速報の配信処理の遅延を防ぐことができる。
【００２６】
＜発明の実施の形態２＞
図５は、本発明の実施の形態２にかかる移動通信システム２００の構成を示すブロック図である。移動通信システム２００は、上述した実施の形態１にかかる移動通信システム１００の一例である。また、移動通信システム２００は、ＬＴＥ（Ｌｏｎｇ  Ｔｅｒｍ  Ｅｖｏｌｕｔｉｏｎ）方式であるものとする。但し、通信方式はこれに限定されない。また、本実施の形態２では、グループ識別情報として緊急速報を配信する領域を識別する配信領域情報を用いるものとする。そこで、以下では、配信領域情報として、Ｅｍｅｒｇｅｎｃｙ  Ａｒｅａ  ＩＤを用いた例について説明する。尚、配信領域情報はこれに限定されない。
【００２７】
移動通信システム２００は、ＨｅＮＢ（Ｈｏｍｅ  ｅＮｏｄｅＢ）２１１〜２１４と、ＨｅＮＢ−ＧＷ（Ｈｏｍｅ  ｅＮｏｄｅＢ  ＧａｔｅＷａｙ）２２０と、ＭＭＥ（Ｍｏｂｉｌｅ  Ｍａｎａｇｅｍｅｎｔ  Ｅｎｔｉｔｙ）２３０と、ＣＢＣ（Ｃｅｌｌ  Ｂｒｏａｄｃａｓｔ  Ｃｅｎｔｅｒ）２４０とを備える。
【００２８】
ＨｅＮＢ２１１〜２１４は、上述した無線基地局１１１〜１１ｎの一例であり、２以上であればよい。つまり、ＨｅＮＢ２１１〜２１４は、ＨｅＮＢ−ＧＷ２２０と接続されている。また、ここでは、ＨｅＮＢ２１１及びＨｅＮＢ２１２は、”１”を示すＥｍｅｒｇｅｎｃｙ  Ａｒｅａ  ＩＤ２５１及び２５２を内部に保持している。また、ＨｅＮＢ２１３は、”２”を示すＥｍｅｒｇｅｎｃｙ  Ａｒｅａ  ＩＤ２５３を内部に保持している。また、ＨｅＮＢ２１４は、”３”を示すＥｍｅｒｇｅｎｃｙ  Ａｒｅａ  ＩＤ２５４を内部に保持している。
【００２９】
図６は、本発明の実施の形態２にかかるＨｅＮＢ２１１の構成を示すブロック図である。尚、ＨｅＮＢ２１２〜２１４についてもＨｅＮＢ２１１と同等の構成であるため、図示及び説明を省略する。
【００３０】
ＨｅＮＢ２１１は、送信部２１１１と、受信部２１１２と、配信部２１１３と、記憶部２１１４とを備える。記憶部２１１４は、Ｅｍｅｒｇｅｎｃｙ  Ａｒｅａ  ＩＤ２５１及びＨｅＮＢ  ＩＤ２６１を記憶する記憶装置である。ここで、ＨｅＮＢ  ＩＤ２６１は、ＨｅＮＢ２１１の識別情報である。ＨｅＮＢ  ＩＤ２６１には、例えば、Ｇｌｏｂａｌ  ｅＮＢ  ＩＤ等を用いることができる。
【００３１】
送信部２１１１は、記憶部２１１４からＥｍｅｒｇｅｎｃｙ  Ａｒｅａ  ＩＤ２５１及びＨｅＮＢ  ＩＤ２６１を読み出し、設定要求に含めてＨｅＮＢ−ＧＷ２２０へ送信する。受信部２１１２は、ＨｅＮＢ−ＧＷ２２０から転送される緊急速報の配信要求を受信する。配信部２１１３は、当該緊急速報を配下のセルへ配信する。
【００３２】
図５に戻り説明する。ＨｅＮＢ−ＧＷ２２０は、上述したゲートウェイ装置１２０の一例である。ＨｅＮＢ−ＧＷ２２０は、ＨｅＮＢ２１１〜２１４と、ＭＭＥ２３０と接続されている。また、ＨｅＮＢ−ＧＷ２２０は、配信先情報２２１を内部に保存する。
【００３３】
図７は、本発明の実施の形態２にかかるＨｅＮＢ−ＧＷ２２０の構成を示すブロック図である。ＨｅＮＢ−ＧＷ２２０は、呼制御部２２２と、データ管理部２２３とを備える。ここで、呼制御部２２２は、上述した受信部１２２及び転送部１２４の機能を含むものである。また、データ管理部２２３は、上述した記憶部１２３の機能を含むものである。
【００３４】
呼制御部２２２は、ＨｅＮＢ２１１〜２１４のそれぞれから、各ＨｅＮＢのＨｅＮＢ  ＩＤと各ＨｅＮＢのＥｍｅｒｇｅｎｃｙ  Ａｒｅａ  ＩＤとを含めた設定要求を受信する。また、データ管理部２２３は、呼制御部２２２が設定要求を受信した場合に、当該設定要求に含まれるＨｅＮＢ  ＩＤ２２５とＥｍｅｒｇｅｎｃｙ  Ａｒｅａ  ＩＤ２２４とを関連付けて配信先情報２２１として記憶する。
【００３５】
また、呼制御部２２２は、ＭＭＥ２３０から受信した配信要求に含まれるグループ識別情報がＥｍｅｒｇｅｎｃｙ  Ａｒｅａ  ＩＤである場合、配信先情報２２１の中から、配信要求に含まれるＥｍｅｒｇｅｎｃｙ  Ａｒｅａ  ＩＤ２２４に関連付けられた一以上のＨｅＮＢ  ＩＤ２２５を特定し、当該特定されたＨｅＮＢ  ＩＤ２２５に該当するＨｅＮＢへ当該配信要求を転送する。
【００３６】
図５に戻り説明する。ＭＭＥ２３０は、上述した交換局１３０の一例である。また、ＣＢＣ２４０は、緊急速報の配信要求をＭＭＥ２３０に対して送信するメッセージ配信局である。ＭＭＥ２３０及びＣＢＣ２４０は、配信要求に含める配信対象として、Ｅｍｅｒｇｅｎｃｙ  Ａｒｅａ  ＩＤ等を含めることができるものとする。尚、ＭＭＥ２３０及びＣＢＣ２４０のその他の構成は、公知のもので実現可能であるため、図示及び詳細な説明を省略する。
【００３７】
ここで、既存のＬＴＥの無線通信システムにおいて発生し得る課題について説明する。図８は、ＬＴＥにかかるＳ１ＡＰ  ＷＲＩＴＥ−ＲＥＰＬＡＣＥ  ＷＡＲＮＩＮＧ  ＲＥＱＵＥＳＴのパラメータを説明するための図である。図８におけるＷａｒｎｉｎｇ  Ａｒｅａ  Ｌｉｓｔは、上述した緊急速報の配信対象となるグループのグループ識別情報を指定する領域の一例である。そして、Ｗａｒｎｉｎｇ  Ａｒｅａ  Ｌｉｓｔの内訳を図９に示す。図９に示すように、Ｗａｒｎｉｎｇ  Ａｒｅａ  Ｌｉｓｔには、Ｃｅｌｌ  ＩＤ、Ｔｒａｃｋｉｎｇ  Ａｒｅａ  ＩＤ（以下、「ＴＡＩ」という。）又はＥｍｅｒｇｅｎｃｙ  Ａｒｅａ  ＩＤのいずれかのみの設定が可能である。
【００３８】
そのため、既存のＬＴＥの無線通信システムにおいて緊急速報を配信するためにＳ１ＡＰ  ＷＲＩＴＥ−ＲＥＰＬＡＣＥ  ＷＡＲＮＩＮＧ  ＲＥＱＵＥＳＴを用いる際に、Ｗａｒｎｉｎｇ  Ａｒｅａ  ＬｉｓｔにＥｍｅｒｇｅｎｃｙ  Ａｒｅａ  ＩＤが設定され得る。この場合、Ｓ１ＡＰ  ＷＲＩＴＥ−ＲＥＰＬＡＣＥ  ＷＡＲＮＩＮＧ  ＲＥＱＵＥＳＴを受信したＨｅＧＷは、配信先のＨｅＮＢを特定することができず、配下の全てのＨｅＮＢへ配信要求を転送することとなる。そのため、結果的に配信対象外のＨｅＮＢへも転送処理が行われ、処理が遅延し得る。
【００３９】
そこで、本発明の実施の形態２にかかる移動通信システム２００は、グループ識別情報としてＥｍｅｒｇｅｎｃｙ  Ａｒｅａ  ＩＤを用いる。まず、無線基地局であるＨｅＮＢ２１１〜２１４は、ゲートウェイ装置であるＨｅＮＢ−ＧＷ２２０への設定要求に、無線基地局の識別情報であるＨｅＮＢ  ＩＤとグループ識別情報としてのＥｍｅｒｇｅｎｃｙ  Ａｒｅａ  ＩＤを含める。
【００４０】
ここで、設定要求としては、無線基地局がゲートウェイ装置との間の接続を設定するための要求、又は、配信先情報を更新するための要求の少なくともいずれかが挙げられる。または、両方の設定要求で実現しても構わない。
【００４１】
そこで、まず、設定要求として無線基地局がゲートウェイ装置との間の接続を設定するための要求である場合について説明する。当該設定要求としては、例えば、３ＧＰＰの３６．４１３  Ｖ１０．３．０で定義されているＳ１ＡＰ  Ｓ１  ＳＥＴＵＰ  ＲＥＱＵＥＳＴが挙げられる。
【００４２】
図１０は、本発明の実施の形態２にかかるＳ１ＡＰ  Ｓ１  ＳＥＴＵＰ  ＲＥＱＵＥＳＴのパラメータの例を示す図である。図１０では、下段にＥｍｅｒｇｅｎｃｙ  Ａｒｅａ  ＩＤが追加されていることを示す。
【００４３】
図１１は、本発明の実施の形態２にかかるＳ１  ＳＥＴＵＰ  ＲＥＱＵＥＳＴによるＥｍｅｒｇｅｎｃｙ  Ａｒｅａ  ＩＤの登録処理の流れを示すシーケンス図である。尚、以下は、代表してＨｅＮＢ２１１の処理を説明するが、ＨｅＮＢ２１２〜２１４についても同様である。
【００４４】
まず、ＨｅＮＢ２１１は、起動する（Ｓ２０１）。そして、ＨｅＮＢ２１１の送信部２１１１は、Ｓ１  ＳＥＴＵＰ  ＲＥＱＵＥＳＴをＨｅＮＢ−ＧＷ２２０へ送信する（Ｓ２０２）。このとき、送信部２１１１は、Ｓ１  ＳＥＴＵＰ  ＲＥＱＵＥＳＴにＥｍｅｒｇｅｎｃｙ  Ａｒｅａ  ＩＤ２５１及びＨｅＮＢ  ＩＤ２６１を含めて送信する。
【００４５】
続いて、ＨｅＮＢ−ＧＷ２２０の呼制御部２２２は、ＨｅＮＢ２１１から受信したＳ１  ＳＥＴＵＰ  ＲＥＱＵＥＳＴの中からＨｅＮＢ  ＩＤとＥｍｅｒｇｅｎｃｙ  Ａｒｅａ  ＩＤとを抽出する。そして、呼制御部２２２は、ＨｅＮＢ  ＩＤとＥｍｅｒｇｅｎｃｙ  Ａｒｅａ  ＩＤとを関連付けて配信先情報２２１としてデータ管理部２２３に保存する（Ｓ２０３）。その後、呼制御部２２２は、ＨｅＮＢ２１１へＳ１  ＳＥＴＵＰ  ＲＥＳＰＯＮＳＥを送信する。（Ｓ２０４）。
【００４６】
次に、設定要求として配信先情報を更新するための要求である場合について説明する。当該設定要求としては、例えば、３ＧＰＰの３６．４１３  Ｖ１０．３．０で定義されているＳ１ＡＰ  ＥＮＢ  ＣＯＮＦＩＧＵＲＡＴＩＯＮ  ＵＰＤＡＴＥが挙げられる。
【００４７】
図１２は、本発明の実施の形態２にかかるＳ１ＡＰ  ＥＮＢ  ＣＯＮＦＩＧＵＲＡＴＩＯＮ  ＵＰＤＡＴＥのパラメータの例を示す図である。図１２では、下段にＥｍｅｒｇｅｎｃｙ  Ａｒｅａ  ＩＤが追加されていることを示す。
【００４８】
図１３は、本発明の実施の形態２にかかるＥＮＢ  ＣＯＮＦＩＧＵＲＡＴＩＯＮ  ＵＰＤＡＴＥによるＥｍｅｒｇｅｎｃｙ  Ａｒｅａ  ＩＤの登録処理の流れを示すシーケンス図である。
【００４９】
まず、ＨｅＮＢ２１１は、Ｅｍｅｒｇｅｎｃｙ  Ａｒｅａ  ＩＤを更新する（Ｓ２１１）。すなわち、ＨｅＮＢ２１１は、記憶部２１１４内のＥｍｅｒｇｅｎｃｙ  Ａｒｅａ  ＩＤ２５１を他の値に更新する。
【００５０】
そして、ＨｅＮＢ２１１の送信部２１１１は、ＥＮＢ  ＣＯＮＦＩＧＵＲＡＴＩＯＮ  ＵＰＤＡＴＥをＨｅＮＢ−ＧＷ２２０へ送信する（Ｓ２１２）。このとき、送信部２１１１は、ＥＮＢ  ＣＯＮＦＩＧＵＲＡＴＩＯＮ  ＵＰＤＡＴＥに更新後のＥｍｅｒｇｅｎｃｙ  Ａｒｅａ  ＩＤ２５１及びＨｅＮＢ  ＩＤ２６１を含めて送信する。
【００５１】
続いて、ＨｅＮＢ−ＧＷ２２０の呼制御部２２２は、ＨｅＮＢ２１１から受信したＥＮＢ  ＣＯＮＦＩＧＵＲＡＴＩＯＮ  ＵＰＤＡＴＥの中からＨｅＮＢ  ＩＤと更新後のＥｍｅｒｇｅｎｃｙ  Ａｒｅａ  ＩＤとを抽出する。そして、呼制御部２２２は、ＨｅＮＢ  ＩＤと更新後のＥｍｅｒｇｅｎｃｙ  Ａｒｅａ  ＩＤとを関連付けて配信先情報２２１としてデータ管理部２２３に保存する（Ｓ２１３）。その後、呼制御部２２２は、ＨｅＮＢ２１１へＥＮＢ  ＣＯＮＦＩＧＵＲＡＴＩＯＮ  ＵＰＤＡＴＥ  ＡＣＫＮＯＷＬＥＤＧＥを送信する。（Ｓ２１４）。
【００５２】
このように、本実施の形態２では、無線基地局であるＨｅＮＢ２１１等からゲートウェイ装置であるＨｅＮＢ−ＧＷ２２０への設定要求に、無線基地局の識別情報であるＨｅＮＢ  ＩＤとグループ識別情報としてのＥｍｅｒｇｅｎｃｙ  Ａｒｅａ  ＩＤを含めるものである。そして、ＨｅＮＢ−ＧＷ２２０は、ＨｅＮＢ  ＩＤ２２５とＥｍｅｒｇｅｎｃｙ  Ａｒｅａ  ＩＤ２２４とを関連付けて配信先情報２２１としてデータ管理部２２３に保存する。これにより、以後、ＣＢＣ２４０及びＭＭＥ２３０から緊急速報の配信要求としてＷＲＩＴＥ−ＲＥＰＬＡＣＥ  ＷＡＲＮＩＮＧ  ＲＥＱＵＥＳＴが発行された場合、Ｗａｒｎｉｎｇ  Ａｒｅａ  ＬｉｓｔにＥｍｅｒｇｅｎｃｙ  Ａｒｅａ  ＩＤが設定されていれば、ＨｅＮＢ−ＧＷ２２０は，設定されたＥｍｅｒｇｅｎｃｙ  Ａｒｅａ  ＩＤにより配信対象のＨｅＮＢを適切に特定することができる。
【００５３】
続いて、ＣＢＣ２４０からの緊急速報の配信要求について説明する。図１４は、ＬＴＥにかかるＳＢｃ−ＡＰ  ＷＲＩＴＥ−ＲＥＰＬＡＣＥ  ＷＡＲＮＩＮＧ  ＲＥＱＵＥＳＴのパラメータを説明するための図である。図１４に示すように、パラメータとして図９と同様にＷａｒｎｉｎｇ  Ａｒｅａ  Ｌｉｓｔが含まれている。
【００５４】
図１５は、本発明の実施の形態２にかかるＷＲＩＴＥ−ＲＥＰＬＡＣＥ  ＷＡＲＮＩＮＧ  ＲＥＱＵＥＳＴによる緊急速報の配信の流れを示すシーケンス図である。尚、図１１又は図１３の処理により、ＨｅＮＢ−ＧＷ２２０は、ＨｅＮＢ  ＩＤとＥｍｅｒｇｅｎｃｙ  Ａｒｅａ  ＩＤとが関連付けられた配信先情報を既に保持しているものとする。
【００５５】
まず、ＣＢＣ２４０は、ＳＢｃ  ＷＲＩＴＥ−ＲＥＰＬＡＣＥ  ＷＡＲＮＩＮＧ  ＲＥＱＵＥＳＴをＭＭＥ２３０へ送信する（Ｓ２２１）。このとき、ＣＢＣ２４０は、Ｗａｒｎｉｎｇ  Ａｒｅａ  ＬｉｓｔにＥｍｅｒｇｅｎｃｙ  Ａｒｅａ  ＩＤとして”１”を設定し、ＳＢｃ  ＷＲＩＴＥ−ＲＥＰＬＡＣＥ  ＷＡＲＮＩＮＧ  ＲＥＱＵＥＳＴに含める。尚、ＣＢＣ２４０の動作は、３ＧＰＰのＴＳ２９．１６８  Ｖ１０．０．０で定義される通りである。
【００５６】
次に、ＭＭＥ２３０は、ＣＢＣ２４０から受信したＳＢｃ  ＷＲＩＴＥ−ＲＥＰＬＡＣＥ  ＷＡＲＮＩＮＧ  ＲＥＱＵＥＳＴに基づいて宛先のＨｅＮＢ−ＧＷ２２０を特定する（Ｓ２２２）。そして、ＭＭＥ２３０は、特定されたＨｅＮＢ−ＧＷ２２０へＳ１ＡＰ  ＷＲＩＴＥ−ＲＥＰＬＡＣＥ  ＷＡＲＮＩＮＧ  ＲＥＱＵＥＳＴを送信する（Ｓ２２３）。このとき、Ｓ１ＡＰ  ＷＲＩＴＥ−ＲＥＰＬＡＣＥ  ＷＡＲＮＩＮＧ  ＲＥＱＵＥＳＴのＷａｒｎｉｎｇ  Ａｒｅａ  Ｌｉｓｔには、”１”を示すＥｍｅｒｇｅｎｃｙ  Ａｒｅａ  ＩＤが設定されている。
【００５７】
続いて、ＨｅＮＢ−ＧＷ２２０の呼制御部２２２は、受信したＳ１ＡＰ  ＷＲＩＴＥ−ＲＥＰＬＡＣＥ  ＷＡＲＮＩＮＧ  ＲＥＱＵＥＳＴのＷａｒｎｉｎｇ  Ａｒｅａ  ＬｉｓｔからＥｍｅｒｇｅｎｃｙ  Ａｒｅａ  ＩＤを抽出する。そして、呼制御部２２２は、データ管理部２２３内の配信先情報２２１の中からＥｍｅｒｇｅｎｃｙ  Ａｒｅａ  ＩＤに関連付けられたＨｅＮＢ  ＩＤを特定する（Ｓ２２４）。ここでは、Ｅｍｅｒｇｅｎｃｙ  Ａｒｅａ  ＩＤが”１”であるため、図５においてはＨｅＮＢ２１１及び２１２が特定される。
【００５８】
その後、ＨｅＮＢ−ＧＷ２２０は、Ｓ１ＡＰ  ＷＲＩＴＥ−ＲＥＰＬＡＣＥ  ＷＡＲＮＩＮＧ  ＲＥＱＵＥＳＴをＨｅＮＢ２１１及び２１２のみへ送信する（Ｓ２２５）。そして、ＨｅＮＢ２１１及び２１２は、受信したＳ１ＡＰ  ＷＲＩＴＥ−ＲＥＰＬＡＣＥ  ＷＡＲＮＩＮＧ  ＲＥＱＵＥＳＴに基づいて、それぞれの配下のセルへ緊急速報を配信する（Ｓ２２６）。
【００５９】
以上のように、本実施の形態２では、ＨｅＮＢ−ＧＷ２２０がＨｅＮＢ２１１〜２１４からのＨｅＮＢ  ＩＤ及びＥｍｅｒｇｅｎｃｙ  Ａｒｅａ  ＩＤの組合せを予め登録しているため、Ｗａｒｎｉｎｇ  Ａｒｅａ  ＬｉｓｔにＥｍｅｒｇｅｎｃｙ  Ａｒｅａ  ＩＤが設定されている場合に、Ｅｍｅｒｇｅｎｃｙ  Ａｒｅａ  ＩＤに基づいて適切なＨｅＮＢを特定することができる。すなわち、Ｓ１ＡＰ  ＷＲＩＴＥ−ＲＥＰＬＡＣＥ  ＷＡＲＮＩＮＧ  ＲＥＱＵＥＳＴの転送先をＨｅＮＢ−ＧＷ２２０の配下の複数のＨｅＮＢのうち、特定された一部に絞り込むことができる。よって、余分なＨｅＮＢへの転送を防ぐことができる。すなわち、無駄なメッセージの送信を抑制することができ、緊急速報の配信処理の遅延を防ぐことができる。
【００６０】
言い換えると、本実施の形態２により、ＨｅＮＢから通知されたＥｍｅｒｇｅｎｃｙ  Ａｒｅａ  ＩＤをもとにＳ１ＡＰ  ＷＲＩＴＥ−ＲＥＰＬＡＣＥ  ＷＡＲＮＩＮＧ  ＲＥＱＵＥＳＴメッセージの送信先を限定しているので、無駄なメッセージの送信を避けることができ、ネットワークの有効活用ができるという効果を奏する。
【００６１】
また、本実施の形態２により、メッセージの送信先を絞ることにより、ＨｅＮＢ−ＧＷでの処理時間も早くなり、ＥＴＷＳメッセージを早くＨｅＮＢに通知することができるようになるという効果を奏する。それ故、緊急速報をより早くユーザに通知することが可能になる。
【００６２】
＜発明の実施の形態３＞
図９に示すように、既存のＬＴＥの無線通信システムにおいて緊急速報を配信するためにＳ１ＡＰ  ＷＲＩＴＥ−ＲＥＰＬＡＣＥ  ＷＡＲＮＩＮＧ  ＲＥＱＵＥＳＴを用いる際に、Ｗａｒｎｉｎｇ  Ａｒｅａ  ＬｉｓｔにＴＡＩ（Ｔｒａｃｋｉｎｇ  Ａｒｅａ  ＩＤ）が設定される場合もある。
【００６３】
そこで、本発明の実施の形態３では、グループ識別情報として自己が属する位置登録領域の識別情報を用いるものとする。以下では、位置登録領域として、ＴＡＩを用いた例について説明する。尚、位置登録領域はこれに限定されない。
【００６４】
本実施の形態３にかかる無線基地局は、自己が属する位置登録領域の識別情報記グループ識別情報として設定要求に含めて前記ゲートウェイ装置へ送信する。そして、本実施の形態３にかかるゲートウェイ装置は、配信要求に含まれるグループ識別情報が位置登録領域の識別情報である場合、配信先情報の中から、当該配信要求に含まれる位置登録領域の識別情報と関連付けられた一以上の無線基地局を特定する。尚、本発明の実施の形態３にかかる移動通信システムの構成は、図５と同等であるため、図示及び説明を省略する。
【００６５】
図１６は、本発明の実施の形態３にかかるＳ１  ＳＥＴＵＰ  ＲＥＱＵＥＳＴによるＴｒａｃｋｉｎｇ  Ａｒｅａ  ＩＤの登録処理の流れを示すシーケンス図である。まず、ＨｅＮＢ２１１は、起動する（Ｓ２３１）。そして、ＨｅＮＢ２１１の送信部２１１１は、Ｓ１  ＳＥＴＵＰ  ＲＥＱＵＥＳＴをＨｅＮＢ−ＧＷ２２０へ送信する（Ｓ２３２）。このとき、送信部２１１１は、Ｓ１  ＳＥＴＵＰ  ＲＥＱＵＥＳＴにＴＡＩ及びＨｅＮＢ  ＩＤ２６１を含めて送信する。
【００６６】
続いて、ＨｅＮＢ−ＧＷ２２０の呼制御部２２２は、ＨｅＮＢ２１１から受信したＳ１  ＳＥＴＵＰ  ＲＥＱＵＥＳＴの中からＨｅＮＢ  ＩＤとＴＡＩとを抽出する。そして、呼制御部２２２は、ＨｅＮＢ  ＩＤとＴＡＩとを関連付けて配信先情報２２１としてデータ管理部２２３に保存する（Ｓ２３３）。その後、呼制御部２２２は、ＨｅＮＢ２１１へＳ１  ＳＥＴＵＰ  ＲＥＳＰＯＮＳＥを送信する。（Ｓ２３４）。
【００６７】
尚、設定要求がＥＮＢ  ＣＯＮＦＩＧＵＲＡＴＩＯＮ  ＵＰＤＡＴＥである場合も上記と同等であるため、具体的な説明を省略する。
【００６８】
図１７は、本発明の実施の形態３にかかるＷＲＩＴＥ−ＲＥＰＬＡＣＥ  ＷＡＲＮＩＮＧ  ＲＥＱＵＥＳＴによる緊急速報の配信の流れを示すシーケンス図である。ここでは、図５のＨｅＮＢ２１１がＴＡＩ”Ｘ”、ＨｅＮＢ２１２及び２１３がＴＡＩ”Ｙ”、ＨｅＮＢ２１４がＴＡＩ”Ｚ”に属するものとする。尚、図１６の処理により、ＨｅＮＢ−ＧＷ２２０は、ＨｅＮＢ  ＩＤとＴＡＩとが関連付けられた配信先情報を既に保持しているものとする。
【００６９】
まず、ＣＢＣ２４０は、ＳＢｃ  ＷＲＩＴＥ−ＲＥＰＬＡＣＥ  ＷＡＲＮＩＮＧ  ＲＥＱＵＥＳＴをＭＭＥ２３０へ送信する（Ｓ２４１）。このとき、ＣＢＣ２４０は、Ｗａｒｎｉｎｇ  Ａｒｅａ  ＬｉｓｔにＴＡＩ”Ｙ”を設定し、ＳＢｃ  ＷＲＩＴＥ−ＲＥＰＬＡＣＥ  ＷＡＲＮＩＮＧ  ＲＥＱＵＥＳＴに含める。尚、ＣＢＣ２４０の動作は、３ＧＰＰのＴＳ２９．１６８  Ｖ１０．０．０で定義される通りである。
【００７０】
次に、ＭＭＥ２３０は、ＣＢＣ２４０から受信したＳＢｃ  ＷＲＩＴＥ−ＲＥＰＬＡＣＥ  ＷＡＲＮＩＮＧ  ＲＥＱＵＥＳＴに基づいて宛先のＨｅＮＢ−ＧＷ２２０を特定する（Ｓ２４２）。そして、ＭＭＥ２３０は、特定されたＨｅＮＢ−ＧＷ２２０へＳ１ＡＰ  ＷＲＩＴＥ−ＲＥＰＬＡＣＥ  ＷＡＲＮＩＮＧ  ＲＥＱＵＥＳＴを送信する（Ｓ２４３）。このとき、Ｓ１ＡＰ  ＷＲＩＴＥ−ＲＥＰＬＡＣＥ  ＷＡＲＮＩＮＧ  ＲＥＱＵＥＳＴのＷａｒｎｉｎｇ  Ａｒｅａ  Ｌｉｓｔには、ＴＡＩ”Ｙ”が設定されている。
【００７１】
続いて、ＨｅＮＢ−ＧＷ２２０の呼制御部２２２は、受信したＳ１ＡＰ  ＷＲＩＴＥ−ＲＥＰＬＡＣＥ  ＷＡＲＮＩＮＧ  ＲＥＱＵＥＳＴのＷａｒｎｉｎｇ  Ａｒｅａ  ＬｉｓｔからＴＡＩを抽出する。そして、呼制御部２２２は、データ管理部２２３内の配信先情報２２１の中からＴＡＩに関連付けられたＨｅＮＢ  ＩＤを特定する（Ｓ２４４）。ここでは、ＴＡＩ”Ｙ”であるため、図５においてはＨｅＮＢ２１２及び２１３が特定される。
【００７２】
その後、ＨｅＮＢ−ＧＷ２２０は、Ｓ１ＡＰ  ＷＲＩＴＥ−ＲＥＰＬＡＣＥ  ＷＡＲＮＩＮＧ  ＲＥＱＵＥＳＴをＨｅＮＢ２１２及び２１３のみへ送信する（Ｓ２４５）。そして、ＨｅＮＢ２１２及び２１３は、受信したＳ１ＡＰ  ＷＲＩＴＥ−ＲＥＰＬＡＣＥ  ＷＡＲＮＩＮＧ  ＲＥＱＵＥＳＴに基づいて、それぞれの配下のセルへ緊急速報を配信する（Ｓ２４６）。
【００７３】
以上のように、本実施の形態３では、グループ識別情報としてＴＡＩを用いることで、実施の形態２と同等の効果を奏することができる。
【００７４】
＜発明の実施の形態４＞
上述した図１４に示すように、ＣＢＣ２４０からＭＭＥ２３０へは、ＳＢｃ−ＡＰ  ＷＲＩＴＥ−ＲＥＰＬＡＣＥ  ＷＡＲＮＩＮＧ  ＲＥＱＵＥＳＴが通知される。その中には、Ｌｉｓｔ  ｏｆ  ＴＡＩｓが含まれている。これは、ＳＢｃ−ＡＰ  ＳＴＯＰ  ＷＡＲＮＩＮＧ  ＲＥＱＵＥＳＴにおいても同様である（図１８）。そのため、ＭＭＥ２３０は、Ｌｉｓｔ  ｏｆ  ＴＡＩｓを用いて配信対象のｅＮＢを特定する。この点については、３ＧＰＰのＴＳ２３．４０１  Ｖ１０．３．０における” The Tracking Area ID list is only used by the MME. The MME uses it for selecting which eNodeBs to forward the Write-Replace Warning Request message to.”との記載から明らかである。
【００７５】
ここで、図１４及び図１８に含まれるＷａｒｎｉｎｇ  Ａｒｅａ  Ｌｉｓｔには、図９に示したようにＣｅｌｌ  ＩＤ、ＴＡＩ又はＥｍｅｒｇｅｎｃｙ  Ａｒｅａ  ＩＤのいずれかのみが設定される。また、ＭＭＥ２３０からＨｅＮＢ−ＧＷ２２０へ送信されるＳ１ＡＰ  ＷＲＩＴＥ−ＲＥＰＬＡＣＥ  ＷＡＲＮＩＮＧ  ＲＥＱＵＥＳＴには、図８に示したように、ＳＢｃ−ＡＰ  ＷＲＩＴＥ−ＲＥＰＬＡＣＥ  ＷＡＲＮＩＮＧ  ＲＥＱＵＥＳＴに設定されたＷａｒｎｉｎｇ  Ａｒｅａ  Ｌｉｓｔがそのまま設定される。
【００７６】
ここで、実施の形態３のように、ＨｅＮＢ−ＧＷ２２０がＨｅＮＢ  ＩＤとＴＡＩとが関連付けられた配信先情報を予め保持している場合を考える。このとき、Ｗａｒｎｉｎｇ  Ａｒｅａ  ＬｉｓｔにＥｍｅｒｇｅｎｃｙ  Ａｒｅａ  ＩＤが設定されていた場合、ＨｅＮＢ−ＧＷ２２０は、転送先のＨｅＮＢを適切に特定できない。
【００７７】
そこで、本実施の形態４では、ＭＭＥ２３０がＳ１ＡＰ  ＷＲＩＴＥ−ＲＥＰＬＡＣＥ  ＷＡＲＮＩＮＧ  ＲＥＱＵＥＳＴに、Ｗａｒｎｉｎｇ  Ａｒｅａ  Ｌｉｓｔの他に、ＳＢｃ−ＡＰ  ＷＲＩＴＥ−ＲＥＰＬＡＣＥ  ＷＡＲＮＩＮＧ  ＲＥＱＵＥＳＴに含まれるＬｉｓｔ  ｏｆ  ＴＡＩｓをさらに追加するものである。
【００７８】
すなわち、本実施の形態４にかかる交換局は、グループ識別情報の他に位置登録領域の識別情報を含む配信要求を外部から受信する。そして、当該交換局は、当該受信した配信要求に含まれるグループ識別情報が位置登録領域の識別情報でない場合、当該グループ識別情報に加えて位置登録領域の識別情報を含めて配信要求としてゲートウェイ装置へ送信する。その後、ゲートウェイ装置は、配信先情報の中から、配信要求に含まれる位置登録領域の識別情報と関連付けられた一以上の無線基地局を特定する。
【００７９】
図１９は、本発明の実施の形態４にかかるＳ１ＡＰ  ＷＲＩＴＥ−ＲＥＰＬＡＣＥ  ＷＡＲＮＩＮＧ  ＲＥＱＵＥＳＴのパラメータの例を示す図である。つまり、Ｗａｒｎｉｎｇ  Ａｒｅａ  Ｌｉｓｔの他に、Ｌｉｓｔ  ｏｆ  ＴＡＩｓを設定可能とする。これにより、ＨｅＮＢ−ＧＷ２２０において、効率よくＨｅＮＢにＳ１ＡＰ  ＷＲＩＴＥ−ＲＥＰＬＡＣＥ  ＷＡＲＮＩＮＧ  ＲＥＱＵＥＳＴメッセージを送信することが可能になる。
【００８０】
図２０は、本発明の実施の形態４にかかるＷＲＩＴＥ−ＲＥＰＬＡＣＥ  ＷＡＲＮＩＮＧ  ＲＥＱＵＥＳＴによる緊急速報の配信の流れを示すシーケンス図である。ここでは、図１７と同様に、図１６の処理により、ＨｅＮＢ−ＧＷ２２０は、ＨｅＮＢ  ＩＤとＴＡＩとが関連付けられた配信先情報を既に保持しているものとする。
【００８１】
まず、ＣＢＣ２４０は、ＳＢｃ  ＷＲＩＴＥ−ＲＥＰＬＡＣＥ  ＷＡＲＮＩＮＧ  ＲＥＱＵＥＳＴをＭＭＥ２３０へ送信する（Ｓ２５１）。このとき、ＣＢＣ２４０は、Ｗａｒｎｉｎｇ  Ａｒｅａ  ＬｉｓｔにＥｍｅｒｇｅｎｃｙ  Ａｒｅａ  ＩＤ”３”を設定し、Ｌｉｓｔ  ｏｆ  ＴＡＩｓにＴＡＩ”Ｚ”を設定し、ＳＢｃ  ＷＲＩＴＥ−ＲＥＰＬＡＣＥ  ＷＡＲＮＩＮＧ  ＲＥＱＵＥＳＴに含める。
【００８２】
次に、ＭＭＥ２３０は、ＣＢＣ２４０から受信したＳＢｃ  ＷＲＩＴＥ−ＲＥＰＬＡＣＥ  ＷＡＲＮＩＮＧ  ＲＥＱＵＥＳＴからＬｉｓｔ  ｏｆ  ＴＡＩｓを抽出し、また、当該ＲＥＱＵＥＳＴに基づいて宛先のＨｅＮＢ−ＧＷ２２０を特定する（Ｓ２５２）。そして、ＭＭＥ２３０は、特定されたＨｅＮＢ−ＧＷ２２０へＳ１ＡＰ  ＷＲＩＴＥ−ＲＥＰＬＡＣＥ  ＷＡＲＮＩＮＧ  ＲＥＱＵＥＳＴを送信する（Ｓ２５３）。このとき、ＨｅＮＢ−ＧＷ２２０は、抽出されたＬｉｓｔ  ｏｆ  ＴＡＩｓ（ＴＡＩ”Ｚ”）をＳ１ＡＰ  ＷＲＩＴＥ−ＲＥＰＬＡＣＥ  ＷＡＲＮＩＮＧ  ＲＥＱＵＥＳＴに追加する。尚、Ｗａｒｎｉｎｇ  Ａｒｅａ  Ｌｉｓｔには、Ｅｍｅｒｇｅｎｃｙ  Ａｒｅａ  ＩＤ”３が設定されている。
【００８３】
続いて、ＨｅＮＢ−ＧＷ２２０の呼制御部２２２は、受信したＳ１ＡＰ  ＷＲＩＴＥ−ＲＥＰＬＡＣＥ  ＷＡＲＮＩＮＧ  ＲＥＱＵＥＳＴのＷａｒｎｉｎｇ  Ａｒｅａ  ＬｉｓｔからＥｍｅｒｇｅｎｃｙ  Ａｒｅａ  ＩＤ”３を抽出する。併せて、呼制御部２２２は、受信したＳ１ＡＰ  ＷＲＩＴＥ−ＲＥＰＬＡＣＥ  ＷＡＲＮＩＮＧ  ＲＥＱＵＥＳＴのＬｉｓｔ  ｏｆ  ＴＡＩｓ（ＴＡＩ”Ｚ”）を抽出する。そして、呼制御部２２２は、配信先情報の中からＴＡＩに関連付けられたＨｅＮＢ  ＩＤを特定する（Ｓ２５４）。ここでは、ＴＡＩ”Ｚ”であるため、図５においてはＨｅＮＢ２１４が特定される。尚、ＨｅＮＢ２１４は、Ｅｍｅｒｇｅｎｃｙ  Ａｒｅａ  ＩＤ”３”でもあるため、結果的に適切なＨｅＮＢが特定されたこととなる。
【００８４】
その後、ＨｅＮＢ−ＧＷ２２０は、Ｓ１ＡＰ  ＷＲＩＴＥ−ＲＥＰＬＡＣＥ  ＷＡＲＮＩＮＧ  ＲＥＱＵＥＳＴをＨｅＮＢ２１４のみへ送信する（Ｓ２５５）。そして、ＨｅＮＢ２１４は、受信したＳ１ＡＰ  ＷＲＩＴＥ−ＲＥＰＬＡＣＥ  ＷＡＲＮＩＮＧ  ＲＥＱＵＥＳＴに基づいて、それぞれの配下のセルへ緊急速報を配信する（Ｓ２５６）。
【００８５】
＜その他の発明の実施の形態＞
上記実施形態２〜４では、ＣＢＣから緊急速報の配信、すなわち「ＷＲＩＴＥ−ＲＥＰＬＡＣＥ  ＷＡＲＮＩＮＧ  ＲＥＱＵＥＳＴ」が送信される場合について説明されている。そこで、以下では、すでに継続している緊急速報の配信を中止する場合について説明する。
【００８６】
まず、ＣＢＣは、すでに継続している緊急速報の配信をキャンセル（中止）するための情報を送信する。この情報は、例えば、「ＳＴＯＰ  ＷＡＲＮＩＮＧ  ＲＥＱＵＥＳＴ」メッセージである（３ＧＰＰ  ＴＳ  ２９．１６８参照）。このメッセージには、「ＷＲＩＴＥ−ＲＥＰＬＡＣＥ  ＷＡＲＮＩＮＧ  ＲＥＱＵＥＳＴ」と同様に、ｅＮＢやＨｅＮＢ−ＧＷを選択するための情報を含んでいる。
【００８７】
次に、ＭＭＥは、すでに継続している緊急速報の配信をキャンセル（中止）するための情報を受信する。受信すると、ＭＭＥは、この情報に含まれるＬｉｓｔ  ｏｆ  ＴＡＩｓを用いて送信するｅＮＢやＨｅＮＢ−ＧＷを選択する。この後、ＭＭＥは、すでに継続している緊急速報の配信をキャンセル（中止）するための情報を、ＨｅＮＢ−ＧＷに送信する。この情報は、例えば、「ＫＩＬＬ  ＲＥＱＵＥＳＴ」メッセージである（３ＧＰＰ  ＴＳ  ３６．４１３参照）。
【００８８】
続いて、ＨｅＮＢ−ＧＷの呼制御部は、Ｗａｒｎｉｎｇ  Ａｒｅａ  Ｌｉｓｔに設定されているＥｍｅｒｇｅｎｃｙ  Ａｒｅａ  ＩＤに対応するＨｅＮＢについての情報をデータ管理部から取得する。
【００８９】
その後、ＨｅＮＢ−ＧＷの呼制御部は、上記データ管理部から取得した情報に基づいて、適切なＨｅＮＢを選択する。ＨｅＮＢ−ＧＷは、適切なＨｅＮＢに対して、すでに継続している緊急速報の配信をキャンセル（中止）するための情報（例えば、「ＫＩＬＬ  ＲＥＱＵＥＳＴ」メッセージ）を送信する。
【００９０】
このように、ＨｅＮＢ−ＧＷは適切なＨｅＮＢのみに対して、すでに継続している緊急速報の配信をキャンセル（中止）するための情報（例えば、「ＫＩＬＬ  ＲＥＱＵＥＳＴ」メッセージ）を送信することが可能となる。そのため、実施の形態１〜４と同様に、結果的に配信不要となる無線基地局への配信要求の転送が行われない。それ故、緊急速報の配信処理の遅延を防ぐことができる。
【００９１】
以上のことから、本実施の形態２〜４の構成は、上述したすでに継続している緊急速報の配信を中止する構成に置き換えることが可能である。つまり、既存の移動通信システムに配信の中止の機能のみを適用しても構わない。または、上述した本実施の形態２〜４の構成に当該配信の中止の機能を追加しても構わない。
【００９２】
尚、Ｅｍｅｒｇｅｎｃｙ  Ａｒｅａ  ＩＤがＴＡＩより範囲が狭い場合、つまり、配信領域情報が位置登録領域に属する複数の無線基地局の一部が属するグループである場合には、ＴＡＩに基づいて転送する場合に比べて転送先を減少させることができ、実施の形態２の効果がより顕著となる。
【００９３】
尚、本発明の実施の形態１〜４は、ＣＭＡＳ（Ｃｏｍｍｅｒｃｉａｌ  Ｍｏｂｉｌｅ  Ａｌｅｒｔ  Ｓｙｓｔｅｍ）にも適用が可能である。
【００９４】
また、本発明の実施の形態１〜４は、ＨｅＮＢ−ＧＷによるＥＴＷＳメッセージのフィルタリング実現方法と呼ぶこともできる。そして、ＷＲＩＴＥ−ＲＥＰＬＡＣＥ  ＷＡＲＮＩＮＧ  ＲＥＱＵＥＳＴメッセージを適切なＨｅＮＢのみに送信するようフィルタリングすることが可能となる。
【００９５】
さらに、本発明は上述した実施の形態のみに限定されるものではなく、既に述べた本発明の要旨を逸脱しない範囲において種々の変更が可能であることは勿論である。例えば、上述の実施の形態では、本発明をハードウェアの構成として説明したが、本発明は、これに限定されるものではない。本発明は、無線基地局、ゲートウェイ装置及び交換局のそれぞれの処理を、それぞれ異なるＣＰＵ（Central Processing Unit）にコンピュータプログラムを実行させることにより実現することも可能である。
【００９６】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、ＤＶＤ（Digital Versatile Disc）、ＢＤ(Blu-ray(登録商標) Disc)、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００９７】
上記の実施形態の一部又は全部は、以下の付記のようにも記載され得るが、以下には限られない。
【００９８】
（付記１）
自己の識別情報と自己が属するグループを識別するグループ識別情報とを含めた設定要求を送信する複数の無線基地局と、
前記複数の無線基地局と接続され、前記設定要求を受信した場合に、当該設定要求に含まれる識別情報とグループ識別情報とを関連付けて配信先情報として保存するゲートウェイ装置と、
緊急速報の配信対象となるグループのグループ識別情報を含む配信要求を前記ゲートウェイ装置へ送信する交換局と、を備え、
前記ゲートウェイ装置は、
前記配信要求を受信した場合、前記配信先情報の中から、前記配信要求に含まれるグループ識別情報に関連付けられた一以上の無線基地局を特定し、
当該特定された無線基地局へ当該配信要求を転送し、
前記無線基地局は、
前記ゲートウェイ装置から前記配信要求が転送された場合、配下のセルへ前記緊急速報を配信する
移動通信システム。
【００９９】
（付記２）
前記設定要求は、前記無線基地局が前記ゲートウェイ装置との間の接続を設定するための要求又は前記配信先情報を更新するための要求の少なくともいずれかであることを特徴とする付記１に記載の移動通信システム。
【０１００】
（付記３）
前記無線基地局は、
前記緊急速報を配信する領域を識別する配信領域情報を有し、
当該配信領域情報を前記グループ識別情報として前記設定要求に含めて前記ゲートウェイ装置へ送信し、
前記ゲートウェイ装置は、
前記配信要求に含まれるグループ識別情報が前記配信領域情報である場合、前記配信先情報の中から、当該配信要求に含まれる配信領域情報に関連付けられた一以上の無線基地局を特定する
ことを特徴とする付記１又は２に記載の移動通信システム。
【０１０１】
（付記４）
前記グループは、位置登録領域に属する複数の無線基地局の一部が属するグループであることを特徴とする付記１乃至３のいずれか１項に記載の移動通信システム。
【０１０２】
（付記５）
前記無線基地局は、
自己が属する位置登録領域の識別情報を前記グループ識別情報として前記設定要求に含めて前記ゲートウェイ装置へ送信し、
前記ゲートウェイ装置は、
前記配信要求に含まれるグループ識別情報が前記位置登録領域の識別情報である場合、前記配信先情報の中から、当該配信要求に含まれる位置登録領域の識別情報と関連付けられた一以上の無線基地局を特定する
ことを特徴とする付記１又は２に記載の移動通信システム。
【０１０３】
（付記６）
前記交換局は、
前記グループ識別情報の他に前記位置登録領域の識別情報を含む前記配信要求を外部から受信し、
当該受信した配信要求に含まれるグループ識別情報が前記位置登録領域の識別情報でない場合、当該グループ識別情報に加えて前記位置登録領域の識別情報を含めて前記配信要求として前記ゲートウェイ装置へ送信し、
前記ゲートウェイ装置は、
前記配信先情報の中から、前記配信要求に含まれる位置登録領域の識別情報と関連付けられた一以上の無線基地局を特定する
ことを特徴とする付記５に記載の移動通信システム。
【０１０４】
（付記７）
前記移動通信システムは、ＬＴＥ（Ｌｏｎｇ  Ｔｅｒｍ  Ｅｖｏｌｕｔｉｏｎ）方式であることを特徴とする付記１乃至６のいずれか１項に記載の移動通信システム。
【０１０５】
（付記８）
ゲートウェイ装置と接続された複数の無線基地局のそれぞれが、自己の識別情報と自己が属するグループを識別するグループ識別情報とを含めた設定要求を前記ゲートウェイ装置へ送信し、
前記ゲートウェイ装置が、前記設定要求を受信した場合に、当該設定要求に含まれる識別情報とグループ識別情報とを関連付けて配信先情報として保存し、
交換局が、緊急速報の配信対象となるグループのグループ識別情報を含む配信要求を前記ゲートウェイ装置へ送信し、
前記ゲートウェイ装置が、前記配信要求を受信した場合、前記配信先情報の中から、前記配信要求に含まれるグループ識別情報に関連付けられた一以上の無線基地局を特定し、当該特定された無線基地局へ当該配信要求を転送し、
前記無線基地局が、前記ゲートウェイ装置から前記配信要求が転送された場合、配下のセルへ前記緊急速報を配信する
移動通信方法。
【０１０６】
（付記９）
複数の無線基地局と接続され、
前記複数の無線基地局のそれぞれから、自己の識別情報と自己が属するグループを識別するグループ識別情報とを含めた設定要求を受信する受信手段と、
前記設定要求を受信した場合に、当該設定要求に含まれる識別情報とグループ識別情報とを関連付けて配信先情報として記憶する記憶手段と、
交換局から、緊急速報の配信対象となるグループのグループ識別情報を含む配信要求を受信した場合に、前記配信先情報の中から、前記配信要求に含まれるグループ識別情報に関連付けられた一以上の無線基地局を特定し、当該特定された無線基地局へ当該配信要求を転送する転送手段と、
を備えるゲートウェイ装置。
【０１０７】
（付記１０）
ゲートウェイ装置と接続され、
当該ゲートウェイ装置に、自己の識別情報と自己が属するグループを識別するグループ識別情報とを関連付けて配信先情報として保存させるために、当該識別情報と当該グループ識別情報とを含めた設定要求を前記ゲートウェイ装置へ送信する送信手段と、
前記ゲートウェイ装置が交換局から、緊急速報の配信対象となるグループのグループ識別情報を含む配信要求を受信したことにより、前記配信先情報の中から、前記配信要求に含まれるグループ識別情報に関連付けられた自己の識別情報が特定され、当該配信要求が転送された場合に、配下のセルへ前記緊急速報を配信する配信手段と、
を備える無線基地局。
【符号の説明】
【０１０８】
１００  移動通信システム
１１１  無線基地局
１１２  無線基地局
１１ｎ  無線基地局
１２０  ゲートウェイ装置
１２１  配信先情報
１２２  受信部
１２３  記憶部
１２４  転送部
１２５  無線基地局の識別情報
１２６  グループ識別情報
１３０  交換局
２００  移動通信システム
２１１  ＨｅＮＢ
２１２  ＨｅＮＢ
２１３  ＨｅＮＢ
２１４  ＨｅＮＢ
２２０  ＨｅＮＢ−ＧＷ
２２１  配信先情報
２２２  呼制御部
２２３  データ管理部
２２４  Ｅｍｅｒｇｅｎｃｙ  Ａｒｅａ  ＩＤ
２２５  ＨｅＮＢ  ＩＤ
２３０  ＭＭＥ
２４０  ＣＢＣ
２５１  Ｅｍｅｒｇｅｎｃｙ  Ａｒｅａ  ＩＤ
２５２  Ｅｍｅｒｇｅｎｃｙ  Ａｒｅａ  ＩＤ
２５３  Ｅｍｅｒｇｅｎｃｙ  Ａｒｅａ  ＩＤ
２５４  Ｅｍｅｒｇｅｎｃｙ  Ａｒｅａ  ＩＤ
２６１  ＨｅＮＢ  ＩＤ
１１１１  送信部
１１１２  配信部
２１１１  送信部
２１１２  受信部
２１１３  配信部
２１１４  記憶部
【図１】
2016226032.tif 000003
【図２】
2016226032.tif 000004
【図３】
2016226032.tif 000005
【図４】
2016226032.tif 000006
【図５】
2016226032.tif 000007
【図６】
2016226032.tif 000008
【図７】
2016226032.tif 000009
【図８】
2016226032.tif 000010
【図９】
2016226032.tif 000011
【図１０】
2016226032.tif 000012
【図１１】
2016226032.tif 000013
【図１２】
2016226032.tif 000014
【図１３】
2016226032.tif 000015
【図１４】
2016226032.tif 000016
【図１５】
2016226032.tif 000017
【図１６】
2016226032.tif 000018
【図１７】
2016226032.tif 000019
【図１８】
2016226032.tif 000020
【図１９】
2016226032.tif 000021
【図２０】
2016226032.tif 000022